(57)【要約】      （修正有）【課題】除草作業にかかる作業者の安全性の確保と作業負担の軽減との両立を図ることができる除草作業支援具を提供する。【解決手段】除草作業支援具は、棒状の軸部１１０と、軸部の長さ方向の一端に設けられて、長さ方向に沿って湾曲した内側の縁に刃を備えたメインブレードを備えた刃物部１２０と、刃物部を収容可能な桶形状をなし、刃物部の全体を当該刃物部の背側から覆う第１の位置または刃物部を露出させる第２の位置に選択的に位置づけられる回収部１３０と、を備えたことを特徴とする。【選択図】図５
2019050743.tif 000002
【特許請求の範囲】
【請求項１】
棒状の軸部と、
前記軸部の長さ方向の一端に設けられて、長さ方向に沿って湾曲した内側の縁に刃を備えたメインブレードを備えた刃物部と、
開口を備え当該開口を介して前記刃物部を収容可能な桶形状をなし、当該刃物部の全体を当該刃物部の背側から覆う第１の位置または前記刃物部を露出させる第２の位置に選択的に位置づけられる回収部と、
を備えたことを特徴とする除草作業支援具。
【請求項２】
前記刃物部は、前記メインブレードにおける前記軸部とは反対側に設けられ、当該メインブレードにおける刃の方向と交差する方向に延出する刃を備えたサブブレードを備えたことを特徴とする請求項１に記載の除草作業支援具。
【請求項３】
前記回収部を、前記第１の位置に固定する固定機構を備えたことを特徴とする請求項１または２に記載の除草作業支援具。
【請求項４】
前記回収部は、開口の縁に設けられた凹凸を備えたことを特徴とする請求項１〜３のいずれか一つに記載の除草作業支援具。
【請求項５】
前記軸部は、伸縮可能であることを特徴とする請求項１〜４のいずれか一つに記載の除草作業支援具。
【発明の詳細な説明】
【技術分野】
【０００１】
この発明は、植物の除去作業に用いる除草作業支援具に関する。
【背景技術】
【０００２】
電柱や電柱を支える支線などの電気設備をつたって自生しているカズラなどの蔓性の植物は、電気設備に絡みついていることが多く、当該電気設備を劣化させたり、短絡や地絡などの原因となることがある。このため、電気設備の管理者は、たとえば、鎌などを用いて、電気設備の周囲の植物を伐採して除去する除草作業をおこなっている。
【０００３】
関連する技術として、従来、たとえば、フックと羽子板鋼をボルトでＬ字型の鎌の柄に留め、その柄の途中に握り用のスポンジホルダーを差し込み、柄の先に安全のためのゴムを取り付けたフック付きＬ字鎌に関する技術があった（たとえば、下記特許文献１を参照。）。
【先行技術文献】
【特許文献】
【０００４】
【特許文献１】特開２００９−１１２９９号公報
【発明の概要】
【発明が解決しようとする課題】
【０００５】
しかしながら、上述した従来の技術は、支線の一端を支持するアンカーが法面などの斜面に設置されている場合、アンカー周辺の支線に絡みついた植物を除去するために作業者が斜面を登らなくてはならず、除草作業が困難になるという問題があった。また、法面のように足場の不安定な場所において植物を除去する作業は、作業者がバランスを崩して斜面を滑落して負傷するおそれがあった。
【０００６】
また、上述した特許文献１に記載された従来の技術は、山中における大量のカズラのように、引き下ろす際に大きな労力を要する対象物を除去するには適していないという問題があった。このため、アンカー周辺の支線に絡みついた植物を引き下ろすなど、電気設備に絡みついている蔓性の植物を伐採して地上に下ろすためには作業者が斜面を登らなくてはならず、除草作業が困難になるとともに、作業者の安全面に不安があるという問題があった。
【０００７】
この発明は、上述した従来技術による問題点を解消するため、除草作業にかかる作業者の安全性の確保と作業負担の軽減との両立を図ることができる除草作業支援具を提供することを目的とする。
【課題を解決するための手段】
【０００８】
上述した課題を解決し、目的を達成するため、この発明にかかる除草作業支援具は、棒状の軸部と、前記軸部の長さ方向の一端に設けられて、長さ方向に沿って湾曲した内側の縁に刃を備えたメインブレードを備えた刃物部と、前記刃物部を収容可能な桶形状をなし、当該刃物部の全体を当該刃物部の背側から覆う第１の位置または前記刃物部を露出させる第２の位置に選択的に位置づけられる回収部と、を備えたことを特徴とする。
【０００９】
また、この発明にかかる除草作業支援具は、上記の発明において、前記刃物部が、前記メインブレードにおける前記軸部とは反対側に設けられ、当該メインブレードにおける刃の方向と交差する方向に延出する刃を備えたサブブレードを備えたことを特徴とする。
【００１０】
また、この発明にかかる除草作業支援具は、上記の発明において、前記回収部を、前記第１の位置に固定する固定機構を備えたことを特徴とする。
【００１１】
また、この発明にかかる除草作業支援具は、上記の発明において、前記回収部が、開口の縁に設けられた凹凸を備えたことを特徴とする。
【００１２】
また、この発明にかかる除草作業支援具は、上記の発明において、前記軸部が、伸縮可能であることを特徴とする。
【発明の効果】
【００１３】
この発明にかかる除草作業支援具によれば、除草作業にかかる作業者の安全性の確保と作業負担の軽減との両立を図ることができるという効果を奏する。
【図面の簡単な説明】
【００１４】
【図１】この発明にかかる実施の形態の除草作業支援具の構成を示す説明図（その１）である。
【図２】この発明にかかる実施の形態の除草作業支援具の構成を示す説明図（その２）である。
【図３】この発明にかかる実施の形態の除草作業支援具の分解斜視図である。
【図４】この発明にかかる実施の形態の除草作業支援具の一部を分解して示す説明図である。
【図５】除草作業支援具の使用方法の一例を示す説明図（その１）である。
【図６】除草作業支援具の使用方法の一例を示す説明図（その２）である。
【発明を実施するための形態】
【００１５】
以下に添付図面を参照して、この発明にかかる除草作業支援具の好適な実施の形態を詳細に説明する。
【００１６】
（除草作業支援具の構成）
まず、この発明にかかる実施の形態の除草作業支援具の構成について説明する。図１および図２は、この発明にかかる実施の形態の除草作業支援具の構成を示す説明図である。図３は、この発明にかかる実施の形態の除草作業支援具の分解斜視図である。図４は、この発明にかかる実施の形態の除草作業支援具の一部を分解して示す説明図である。
【００１７】
図１〜図４において、この発明にかかる実施の形態の除草作業支援具１００は、軸部１１０と、刃物部１２０と、回収部１３０と、を備えている。軸部１１０は、棒形状をなす。軸部１１０は、軸心方向における長さが、所定以上の長さとされている。具体的に、軸部１１０は、たとえば、作業者の一般的な歩幅よりも長い。より具体的には、軸部１１０は、たとえば、１メートル以上の長さとすることができる。
【００１８】
軸部１１０は、伸縮可能、すなわち長さの調整が可能な構成であってもよい。この場合、軸部１１０は、具体的には、たとえば、断面が相似形をなす筒状部材を、径の長さにしたがった順で同心円上に重ね合わせ、径が大きい筒状部材に対して径が小さい筒状部材を長さ方向に沿ってスライドさせる構造、いわゆる、テレスコピック構造とすることによって伸縮可能とすることができる。
【００１９】
また、テレスコピック構造によって伸縮構造を実現する場合、軸部１１０は、径が大きい筒状部材の内周側にかえし用のフランジ（内向きフランジなど）を設け、径が小さい筒状部材に外周側に突出するフランジ（外向きフランジなど）を設けることにより、重ね合わせた筒状部材が分離することを回避できる。
【００２０】
軸部１１０を伸縮可能な構造とする場合、軸部１１０を伸長あるいは収縮させた位置において長さを固定する固定機構を備える。具体的には、たとえば、テレスコピック構造によって伸縮構造を実現する場合、固定機構は、たとえば、コレットチャック構造によって実現することができる。コレットチャック構造については、公知の技術を用いて容易に実現できるため図示および説明を省略する。
【００２１】
刃物部１２０は、軸部１１０の長さ方向の一端に設けられている。刃物部１２０は、メインブレード１２１と、サブブレード１２２と、を備えている。メインブレード１２１は、長さ方向に沿って湾曲した略三日月形の平板形状をなす。メインブレード１２１は、長さ方向の一端において軸部１１０に取り付けられている。メインブレード１２１は、湾曲することにより内側となる一方の縁に刃を備え、他方の縁に峰（背）を備えた、いわゆる片刃構造をなす。
【００２２】
サブブレード１２２は、湾曲した略三日月形の平板形状をなし、長さ方向の中央部分においてメインブレード１２１の他端に取り付けられている。メインブレード１２１とサブブレード１２２とは、たとえば、溶接などによって一体化されている。サブブレード１２２は、メインブレード１２１と同様に、湾曲することにより内側となる一方の縁に刃を備え、他方の縁に峰（背）を備えた、いわゆる片刃構造をなす。
【００２３】
メインブレード１２１における刃の方向と、サブブレード１２２における刃の方向とは、交差している。具体的に、たとえば、サブブレード１２２は、メインブレード１２１における刃の方向に対してサブブレード１２２における刃の方向が直交するように、メインブレード１２１に取り付けられている。サブブレード１２２は、たとえば、ガーデニングや農作業に用いられる「草カキ」状に設けられており、除草作業支援具１００を使用する作業者の利き手を選ばない。
【００２４】
メインブレード１２１およびサブブレード１２２は、ともに、刃を軸部１１０側に向けた状態で設けられており、これにより、背は刃よりも軸部１１０とは離間する位置に位置づけられている。メインブレード１２１およびサブブレード１２２における刃を、背よりも軸部１１０側に設けることにより、除草作業に際して軸部１１０を持って作業する作業者は、除草作業支援具１００を手前側に引くように操作することによって、除去対象とする植物を切断することができる。
【００２５】
回収部１３０は、開口１３１を備えた桶形状をなす。回収部１３０は、具体的には、たとえば、長方形状または正方形状の底面と、当該底面の各辺から起立する４つの側面と、を備えた有底の方形状をなす。回収部１３０の内側には、開口１３１を介して刃物部１２０を収容可能な大きさの空間が設けられている。
【００２６】
開口１３１は、底面に対向する位置に設けられており、刃物部１２０よりも大きく開口している。開口１３１は、具体的には、回収部１３０が刃物部１２０における各ブレードの背に対向した状態において、刃物部１２０におけるメインブレード１２１およびサブブレード１２２がなす略Ｔ字形状を覆うことができる程度の大きさで開口している。
【００２７】
回収部１３０における底面や側面は、隙間のない板状部材によって実現してもよく、スリットを備えた、いわゆるメッシュ構造であってもよい。また、回収部１３０は、たとえば、略半球形状のように、底面と側面との境界がなく緩やかに湾曲した形状であってもよい。
【００２８】
回収部１３０は、加えられた外力に抗して形状を維持できる硬質な材料を用いて形成されている。具体的に、回収部１３０は、たとえば、プラスチックなどと称される高分子材料を用いて形成することができる。あるいは、回収部１３０は、金属板や針金などの金属材料や、木材を用いて形成してもよい。
【００２９】
回収部１３０において、開口１３１の縁には、凹凸が設けられている。凹凸は、たとえば、先端ほど細くなる形状の凸部と、奥側ほど狭くなる凹部と、によって実現することができる。あるいは、凹凸は、開口１３１の縁を波形とすることによって実現されるものであってもよい。凹凸は、開口１３１の縁のうち、支持軸側とは反対側の側面や当該側面に隣接する側面の一部のみ（側面のうち、高さの高い部分のみ）に設けられていてもよい。
【００３０】
回収部１３０は、支軸１３３を介して、メインブレード１２１に対して回動可能に連結されている。具体的に、回収部１３０は、図４に示すように、回収部１３０に設けられた筒状の軸受１３２に挿入される支軸１３３を介して、メインブレード１２１に対して回動可能に連結することができる。回収部１３０は、刃物部１２０の全体を当該刃物部１２０の背側から覆う第１の位置（図２に示す状態）、または、刃物部１２０を露出させる第２の位置（図１に示す状態）に選択的に位置づけられる。
【００３１】
また、除草作業支援具１００は、固定機構１４０を備えている。固定機構１４０は、回収部１３０を、第１の位置に固定する。固定機構１４０は、たとえば、両端が回収部１３０に固定されたベルト部材１４１と、軸部１１０に設けられたフック１４２と、によって実現することができる。この場合、ベルト部材１４１は、たとえば、ゴムなどの弾性を有する材料を用いて形成し、伸長した状態でフック１４２に引っ掛けられることが好ましい。
【００３２】
あるいは、固定機構１４０は、たとえば、一端が回収部１３０に固定され、他端にフック（図示を省略する）が設けられたベルト部材１４１と、軸部１１０に設けられたフック１４２と、によって実現してもよい。この場合、ベルト部材１４１の他端に設けられたフックを、軸部１１０に設けられたフック１４２に係合させることによって、回収部１３０を第１の位置に固定することができる。
【００３３】
固定機構１４０においては、ベルト部材１４１に代えて、紐、鎖、引っ張りバネなどを用いてもよい。固定機構１４０において紐や鎖を用いる場合、当該紐や鎖と、ゴムなどの弾性を有する材料によって形成された材料を用いて形成されたベルト部材や引っ張りバネと、を組み合わせてもよい。あるいは、紐や鎖をゴムなどの弾性を有する材料によって形成してもよい。
【００３４】
軸部１１０に設けられたフック１４２は、先端が、刃物部１２０から離間する方向に屈曲あるいは湾曲している。これにより、回収部１３０を、確実に第１の位置において固定することができる。
【００３５】
（除草作業支援具１００の使用方法の一例）
つぎに、除草作業支援具１００の使用方法の一例について説明する。図５および図６は、除草作業支援具１００の使用方法の一例を示す説明図である。除草作業支援具１００は、たとえば、電柱の支線など、電気設備５１０に絡みついているカズラなどの蔓性の植物５２０の除去作業に用いる。このような除去作業に際しては、まず、刃物部１２０に対して回収部１３０を回動させて第２の位置に位置づける。これにより、刃物部１２０が露出される。
【００３６】
つぎに、露出された刃物部１２０における刃を用いて、図５に示すように、電気設備５１０に絡みついている蔓性の植物５２０の切断をおこなう。具体的に、メインブレード１２１における刃やサブブレード１２２における刃を、電気設備５１０に沿って作業者の手元側に引き寄せるように移動させることにより、当該電気設備５１０に絡みついている植物５２０を切断する。
【００３７】
このとき、メインブレード１２１における刃の方向とサブブレード１２２における刃の方向とが交差しているため、作業者は、除去対象となる植物５２０と自身との位置関係に応じて、適宜、使いやすい方のブレードを使用することができる。メインブレード１２１を用いた場合、作業者は、切断位置を目視しやすくなる。サブブレード１２２は、利き手を選ばないため、作業者の利き手にかかわらず同様の作業をおこなうことができる。
【００３８】
切断した植物５２０は、切断した状態のまま放置すると、当該植物５２０の水分によって電気設備５１０が腐食してしまうおそれがあるため、電気設備５１０から除去する必要がある。切断した植物５２０は、メインブレード１２１やサブブレード１２２を用いて切断した後、そのままの状態で除草作業支援具１００を作業者の手元側に移動させることにより引き下ろすことができるが、この場合、メインブレード１２１やサブブレード１２２が備える刃を電気設備５１０に接触させないように注意して除草作業支援具１００を作業者の手元側に移動させる必要がある。
【００３９】
蔓性の植物５２０は、電気設備５１０に絡みついていることが多く、引き下ろす際には力を加える必要があることが多い。このため、植物５２０が生い茂っていて電気設備５１０と刃との距離が分からない場合は、刃を備えたメインブレード１２１やサブブレード１２２を用いて切断した植物５２０を引き下ろす作業に手間取り、作業者に負担がかかってしまう。
【００４０】
また、支線などの電気設備５１０に絡みついている蔓性の植物５２０は、絡みつく力が強い。このため、力を入れて引き下ろさなくてはならないが、切断した植物５２０を除去する作業を、法面５３０などの足場の不安定な場所でおこなうと、作業者は足場を気にしながら作業をおこなわなくてはならず、作業効率に劣る。また、強く絡みついている植物５２０を除去しようと力を入れた反動で作業者が転倒するおそれがある。
【００４１】
また、切断した植物５２０は、作業者が電柱や支線に登って除去することも可能ではあるが、この場合、作業者の負担がさらに増大し、また、高所から落下するおそれがある。さらに、切断した植物５２０を除去するために電柱や支線に登る場合、落下防止のための安全帯などの装備が必要になり、作業者の負担が大きくなってしまう。
【００４２】
これに対し、この実施の形態の除草作業支援具１００は、回収部１３０を利用することにより、切断後にも電気設備５１０に絡みついている植物５２０を電気設備５１０を傷つけることなく回収することができる。回収部１３０の使用に際しては、まず、刃物部１２０に対して回収部１３０を回動させて第１の位置に位置づける。これにより、刃物部１２０が回収部１３０によって覆われる。
【００４３】
そして、固定機構１４０によって、回収部１３０を第１の位置において固定する。これにより、回収部１３０に対して第１の位置から第２の位置へ回転させる外力が加えられた場合にも、回収部１３０が第１の位置からずれてしまうことを防止できる。
【００４４】
この状態で、上述した刃物部１２０による植物５２０の切断時と同様にして、回収部１３０を電気設備５１０に沿わせて作業者の手元側に移動させる（図６における矢印を参照）。回収部１３０は、鋭利な刃を備えていないため、作業者は、回収部１３０の開口１３１を電気設備５１０に押し当てた状態で、除草作業支援具１００を作業者の手元側に引き寄せることができる。これにより、生い茂った植物５２０により電気設備５１０と刃との距離が分からない状況でも、容易かつ確実に、切断した植物５２０を引き下ろすことができる。
【００４５】
また、開口１３１の縁には凹凸が設けられているため、切断した植物５２０が開口１３１部の凹凸に引っ掛かりやすくなる。これにより、回収部１３０を電気設備５１０に押し当てて引き下ろす動作を何度も繰り返すことなく、容易かつ確実に、切断した植物５２０を引き下ろすことができる。
【００４６】
さらに、固定機構１４０においては、弾性を有する材料を用いて形成されたベルト部材１４１を伸長させた状態でフック１４２に引っ掛けることによって、回収部１３０を第１の位置において固定している。これにより、回収部１３０は軸部１１０側に引っ張られた状態となり、回収部１３０を使用して切断した植物５２０を回収する際に、回収部１３０に対して第１の位置から第２の位置へ回転させる外力が加えられた場合にも、ベルト部材１４１の弾性によって当該外力を逃がしながらも、回収部１３０が第１の位置からずれてしまうことを防止できる。
【００４７】
また、軸部１１０が所定以上の長さであるため、作業者は平らな地面５４０など、足場の安定した場所に立って除草作業をおこなうことができる。すなわち、刃物部１２０を用いた植物５２０の切断作業、および、回収部１３０を用いた切断後の植物の回収作業を、平らな地面５４０の上でおこなうことができる。これにより、除草作業を安全かつ確実におこなうことができる。
【００４８】
以上説明したように、この発明にかかる実施の形態の除草作業支援具１００は、棒状の軸部１１０と、軸部１１０の長さ方向の一端に設けられて、長さ方向に沿って湾曲した内側の縁に刃を備えたメインブレード１２１を備えた刃物部１２０と、刃物部１２０を収容可能な桶形状をなし、当該刃物部１２０の全体を当該刃物部１２０の背側から覆う第１の位置または刃物部１２０を露出させる第２の位置に選択的に位置づけられる回収部１３０と、を備えたことを特徴としている。
【００４９】
この発明にかかる実施の形態の除草作業支援具１００によれば、刃物部１２０が軸部１１０に設けられているため、作業者は、平らな地面５４０など、足場の安定した場所に立った状態で、回収部１３０を第２の位置に位置づけることによって露出させた刃物部１２０における刃を用いて、法面５３０などの、作業者の手や汎用的な鎌などが届きにくかったり作業がしにくかったりする位置において電気設備５１０に絡みついている蔓性の植物５２０などを切断することができる。
【００５０】
また、この発明にかかる実施の形態の除草作業支援具１００によれば、回収部１３０を第１の位置に位置づけて刃物部１２０を背側から覆うことにより、作業者は、足場の安定した場所に立った状態で、刃物部１２０により植物５２０を刈る動作と同様の動作で、切断後の植物５２０を回収部１３０によってかき集めて回収することができる。
【００５１】
第１の位置に位置づけられている回収部１３０は刃物部１２０の全体を覆うため、メインブレード１２１における刃によって電気設備５１０を損傷することなく、刃物部１２０により植物５２０を刈る動作と同様の動作で、切断後の植物５２０をかき集めることができる。
【００５２】
これにより、作業者は、手が届きにくかったり作業がしにくかったりする位置において電気設備５１０に絡みついている蔓性の植物５２０を、足場の安定した場所で、作業内容に応じて大きく体勢を変えることなく、刈ることができ、また、切断後の植物５２０を回収することができる。
【００５３】
このように、この発明にかかる実施の形態の除草作業支援具１００によれば、足場の不安定な場所に移動して除去作業をおこなうことによる危険を回避することができるので、作業者の安全性を確保することができ、かつ、手が届きにくい位置において電気設備５１０に絡みついている蔓性の植物５２０などを作業内容に応じて大きく体勢を変えたり電気設備５１０を損傷したりすることなく除去することができるので、作業者の作業負担軽減を図るとともに、作業性の向上を図ることができる。すなわち、この発明にかかる実施の形態の除草作業支援具１００によれば、除草作業にかかる作業者の安全性の確保と作業負担の軽減との両立を図ることができる。
【００５４】
また、この発明にかかる実施の形態の除草作業支援具１００は、刃物部１２０が、メインブレード１２１における軸部１１０とは反対側に設けられ、当該メインブレード１２１における刃の方向と交差する方向に延出する刃を備えたサブブレード１２２を備えたことを特徴としている。
【００５５】
この発明にかかる実施の形態の除草作業支援具１００によれば、刃物部１２０が刃の延出方向が異なる複数のブレードを備えているため、除去対象となる植物５２０と作業者との位置関係や、作業者の立ち位置などの状況に応じて、適宜使用するブレードを選択することができる。これにより、作業者は、足場の安定した場所で大きく体勢を変えることなく、電気設備５１０に絡みついている蔓性の植物５２０などを確実に除去することができる。
【００５６】
また、この発明にかかる実施の形態の除草作業支援具１００は、回収部１３０を、第１の位置に固定する固定機構１４０を備えたことを特徴としている。
【００５７】
この発明にかかる実施の形態の除草作業支援具１００によれば、回収部１３０を用いて刈った後の植物５２０を回収する際に、植物５２０が引っかかるなどして回収部１３０に対して外力が加えられた場合にも、回収部１３０が第１の位置からずれてしまうことを防止できる。これにより、切断後も電気設備５１０に絡みついている蔓性の植物５２０などを確実に除去することができる。
【００５８】
また、この発明にかかる実施の形態の除草作業支援具１００は、回収部１３０が、開口１３１の縁に設けられた凹凸を備えたことを特徴としている。
【００５９】
この発明にかかる実施の形態の除草作業支援具１００によれば、刃物部１２０を用いて切断された植物５２０を回収部１３０によってかき集める際に、当該植物５２０が開口１３１部の凹凸に引っ掛かりやすくなり、当該植物５２０を効率よく回収することができる。
【００６０】
また、この発明にかかる実施の形態の除草作業支援具１００は、軸部１１０が、伸縮可能であることを特徴としている。
【００６１】
この発明にかかる実施の形態の除草作業支援具１００によれば、軸部１１０が伸縮可能であるため、除去対象となる植物５２０と作業者との位置関係や、作業者の立ち位置などの状況に応じて軸部１１０の長さを調整することができる。これにより、作業者は、足場の安定した場所で大きく体勢を変えることなく、電気設備５１０に絡みついている蔓性の植物５２０などを安全かつ確実に除去することができる。
【産業上の利用可能性】
【００６２】
以上のように、この発明にかかる除草作業支援具は、植物の除去作業に用いる除草作業支援具に有用であり、特に、高所や足場の不安定な場所に生えている蔓性の植物の除去作業に用いる除草作業支援具に適している。
【符号の説明】
【００６３】
１００  除草作業支援具
１１０  軸部
１２０  刃物部
１２１  メインブレード
１２２  サブブレード
１３０  回収部
１３１  開口
１３２  軸受
１３３  支軸
１４０  固定機構
１４１  ベルト部材
１４２  フック
【図１】
2019050743.tif 000003
【図２】
2019050743.tif 000004
【図３】
2019050743.tif 000005
【図４】
2019050743.tif 000006
【図５】
2019050743.tif 000007
【図６】
2019050743.tif 000008